(57)【要約】【課題】  設定量の遊技球が球皿に残るように遊技球を抜き取ることを容易にする遊技機を提供。【解決手段】  遊技機は遊技球を貯留する上受け皿１１を備え、この上受け皿１１を構成する底板１０５の下方に球検知センサ１７１が配置される（図（ｃ）参照）。この球検知センサ１７１は、上受け皿１１に貯留された遊技球の内で、当該センサの直上に位置する遊技球を検出する。そして、残し球ボタン１５１（図（ａ）参照）が押下されると、上受け皿１１に貯留された遊技球が抜き取られる。その後、球検知センサ１７１が遊技球を検出している間は遊技球の抜き取りが行なわれ、球検知センサ１７１が遊技球を検出しなくなった時点で遊技球の抜き取りが停止する。つまり、プレート１６１に記載された「↓」が示す位置（図（ａ）参照）まで遊技球が残るように、遊技球が抜き取られる。【選択図】図２
2005185528.tif 000002
【特許請求の範囲】
【請求項１】
遊技機本体の前面に設けられ、遊技球を貯留する球皿と、
前記球皿に貯留された遊技球である貯留遊技球を前記球皿から抜き取る球抜き口と、
前記球抜き口を開閉する開閉手段と、
予め設定された第１外部操作に基づいて、前記開閉手段に前記球抜き口を開放させる開放手段と、
前記貯留遊技球の量が予め設定された設定値以下である場合に、前記開閉手段に前記球抜き口を閉鎖させる第１閉鎖手段と、
を備えることを特徴とする遊技機。
【請求項２】
前記球皿内の、前記設定値に基づいて設定された設定位置に存在する前記貯留遊技球を検出する遊技球検出手段を備え、
前記第１閉鎖手段は、前記遊技球検出手段による検出結果に基づいて、前記貯留遊技球の量が前記設定値以下である場合に、前記開閉手段に前記球抜き口を閉鎖させる、
ことを特徴とする請求項１に記載の遊技機。
【請求項３】
予め設定された第２外部操作に基づいて、前記設定値を変更する変更手段を備える、
ことを特徴とする請求項１または請求項２に記載の遊技機。
【請求項４】
当該遊技機の内部に配置され、前記第２外部操作により操作される第２被操作部を備える、
ことを特徴とする請求項３に記載の遊技機。
【請求項５】
前記設定値を表示する表示手段を備える、
ことを特徴とする請求項１〜請求項４何れかに記載の遊技機。
【請求項６】
予め設定された第２外部操作に基づいて、前記設定位置を変更する設定位置変更手段と、
当該遊技機の内部に配置され、前記第２外部操作により操作される第２被操作部と、
前記設定位置を示す画像が印刷された設定位置表示手段と、
を備え、
前記第２被操作部と、前記設定位置表示手段とは、一体に移動可能となるように連結される、
ことを特徴とする請求項２に記載の遊技機。
【請求項７】
前記開閉手段は、
前記球抜き口を開放する開放位置と、前記球抜き口を閉鎖する閉鎖位置との間を移動するとともに、該閉鎖位置に移動する方向に付勢される開閉部材と、
前記開放手段が前記球抜き口を開放すると、該開閉部材を前記開放位置に保持する保持手段と、を備え、
前記開放手段は、前記開閉部材を前記開放位置に移動させることにより、前記球抜き口を開放し、
前記第１閉鎖手段は、前記保持手段に前記開放状態の保持を解除させることにより、前記開閉部材を前記閉鎖位置に移動させる、
ことを特徴とする請求項１〜請求項６何れかに記載の遊技機。
【請求項８】
前記第１外部操作によって、前記開閉手段に前記球抜き口を開放させるための開放指令を入力するための指令入力手段を備え、
前記開放手段は、前記指令入力手段から前記開放指令が入力されると、前記開閉部材を前記開放位置に移動させる、
ことを特徴とする請求項７に記載の遊技機。
【請求項９】
前記第１外部操作が解除されると、前記開閉部材を前記閉鎖位置に移動させる第２閉鎖手段を備える、
ことを特徴とする請求項８に記載の遊技機。
【請求項１０】
前記開放手段は、
前記開閉部材と一体に移動可能となるように連結され、前記第１外部操作により操作される第１被操作部から構成される、
ことを特徴とする請求項７に記載の遊技機。
【発明の詳細な説明】
【技術分野】
【０００１】
本発明は、遊技機に貯留されている遊技球を抜き取る技術に関する。
【背景技術】
【０００２】
パチンコ機などの遊技機を設置している遊技店における営業形態としては、無定量制とラッキーナンバー制が良く知られている。
無定量制の営業形態を採用している遊技店では、遊技者が遊技機で遊技をして大当たりを引き当てた場合には、その大当たりの図柄に関わりなく、その遊技者は、大当たりで獲得したパチンコ球（以降、持ち球とも称す）を用いて継続して遊技を行うことができる。
【０００３】
一方、ラッキーナンバー制の営業形態を採用している遊技店では、遊技者が大当たりを引き当てた場合において、大当たりの図柄に応じて、大当たり後の遊技の仕方が異なる。つまり、大当たりが特定図柄（確率変動図柄など）での当たりの時には、その遊技者は、大当たりで獲得したパチンコ球を用いて継続して遊技を行うことができる。しかし、特定図柄でない大当たり、いわゆる通常図柄での大当たりの時には、その遊技者は、大当たりで獲得したパチンコ球を一旦交換し、再び遊技店からパチンコ球を現金で購入して遊技を行わなければならない。そして、大当たりで獲得したパチンコ球を交換する際には、その遊技者は、遊技機の球皿に貯留されているパチンコ球（以降、貯留球とも称す）を抜き取って、いわゆるドル箱にパチンコ球を移し変える作業を行う。
【０００４】
尚、一般的に、持ち球を景品と交換する場合の交換金額は、遊技機で遊技するためのパチンコ球を遊技者が遊技店から購入する場合の購入金額より低く設定されている。例えば、購入金額が４．０円／個に対して、交換金額は２．５円／個である。このため、例えば、大当たりで２０００個のパチンコ球を獲得して、この２０００個のパチンコ球を交換する場合には、５０００円相当の景品と交換できる（交換金額を２．５円／個として計算）。一方、獲得した２０００個と同数のパチンコ球を購入して再度遊技する場合には８０００円必要である（購入金額を４．０円／個として計算）。即ち、持ち球を交換して再度遊技する場合は、持ち球で継続して遊技する場合と比較して、実質的に、購入金額と交換金額との差額分高いパチンコ球（この例では、１個当り（４．０−２．５）＝１．５円）で遊技することになる。つまり、遊技者にとって、持ち球で遊技する方が得である。
【０００５】
そして、持ち球を抜き取った後に同じ遊技機で再度遊技する場合には、通常、持ち球を全て抜き取る必要は無く、予め遊技店が許可した所定量（以降、許可残球量と称す）以下のパチンコ球を球皿に残して次の遊技に用いることができる。
【０００６】
そして、上述の許可残球量は遊技店毎に異なっているので、許可残球量を遊技者に示すために、一般に、「↓残し玉ここまで」と記載されたシールが球皿の上方に貼られている。このため、遊技者は、このシールに記載された「↓」が示す位置までパチンコ球が残るように、遊技機に備えられている球抜きレバーを操作して、パチンコ球を抜き取る。
【０００７】
尚、上述した球抜きレバーの操作により球抜きが可能な遊技機は一般的であり、公知・公用の技術に該当するため、ここでは、特に先行技術文献は開示しない。
【発明の開示】
【発明が解決しようとする課題】
【０００８】
しかし、貯留球を許可残球量まで抜く場合には、遊技者は、貯留球量が許可残球量になるまで連続して球抜きレバーを操作し、貯留球量が許可残球量に一致した時点でこの操作を終了するという手順を行っている。即ち、遊技者は、貯留球量が許可残球量に一致しているかを監視しながら球抜きレバーを操作する必要がある。
【０００９】
また、貯留球が許可残球量より少なくなるまでパチンコ球を抜くと、上述した購入金額と交換金額との差により、遊技者が損失を被ることになる。このため、遊技者は、貯留球が許可残球量より少なくなって損失を被ることがないように、且つ、貯留球が許可残球量より多くなって遊技店の従業員から注意を受けることがないようにする必要がある。つまり、貯留球を許可残球量まで抜く際に、貯留球量を許可残球量に丁度一致させるように貯留球を監視することが要求され、遊技者に負担を強いるという問題があった。
【００１０】
本発明は、こうした問題に鑑みなされたものであり、貯留球を許可残球量まで抜く作業を容易にする遊技機を提供することを目的とする。
【課題を解決するための手段】
【００１１】
上記目的を達成するためになされた本発明の遊技機は、遊技機本体の前面に設けられ、遊技球を貯留する球皿と、球皿に貯留された遊技球である貯留遊技球を球皿から抜き取る球抜き口と、球抜き口を開閉する開閉手段と、予め設定された第１外部操作に基づいて、開閉手段に球抜き口を開放させる開放手段と、貯留遊技球の量が予め設定された設定値以下である場合に、開閉手段に球抜き口を閉鎖させる第１閉鎖手段とを備えることを特徴とする。
【００１２】
このように構成された遊技機によれば、第１外部操作が行われると、開放手段が開閉手段に球抜き口を開放させることにより、貯留遊技球が球皿から抜き取られる。そして、貯留遊技球の量が予め設定された設定値以下になると、第１閉鎖手段が開閉手段に球抜き口を閉鎖させる。
【００１３】
即ち、貯留遊技球の量が設定値に一致するまで貯留遊技球が抜き取られると、貯留遊技球の抜き取りが停止する。
このため、本発明の遊技機では、遊技者が貯留球を設定値の量まで抜き取る際に、貯留遊技球の量が設定値に一致するように貯留遊技球を監視するという負担を遊技者に強いることなく、容易に貯留球を球皿から抜き取ることができる。
【００１４】
また、本発明の遊技機は、貯留遊技球の量を検出する貯留量検出手段を備え、第１閉鎖手段は、貯留量検出手段による検出結果に基づいて、貯留遊技球の量が設定値以下である場合に、開閉手段に球抜き口を閉鎖させるようにしてもよい。即ち、例えば、球皿に貯留されている貯留遊技球の総重量を測定し、この総重量から貯留遊技球の量を検出するようにしてもよい。しかし、本発明の遊技機は、球皿内の、設定値に基づいて設定された設定位置に存在する貯留遊技球を検出する遊技球検出手段を備え、第１閉鎖手段は、遊技球検出手段による検出結果に基づいて、貯留遊技球の量が設定値以下である場合に、開閉手段に球抜き口を閉鎖させるようにしてもよい。
【００１５】
このように構成された遊技機によれば、設定位置に存在する貯留遊技球の有無を検出することにより、貯留遊技球の量が設定値以下であるか否かを判別できる。つまり、貯留遊技球の量を検出する場合とは異なり、球皿内の全ての貯留遊技球を検出する必要がないので、貯留遊技球の量が設定値以下であるか否かを、簡便に判別できる。
【００１６】
また、本発明の遊技機は、予め設定された第２外部操作に基づいて、設定値を変更する変更手段を備えるようにしてもよい。
このように構成された遊技機では、球皿に残すことができる貯留遊技球の量を、遊技店側の裁量で自由に変えることができる。また、球皿に残す貯留遊技球の量が異なる様々な遊技店の意向に合わせることができる遊技機にすることができる。
【００１７】
さらに、本発明の遊技機は、当該遊技機の内部に配置され、第２外部操作により操作される第２被操作部を備えるようにすることが望ましい。
このように構成された遊技機では、第２被操作部は遊技機の内部に配置されているので、遊技者は第２被操作部を操作することができない。このため、遊技者が勝手に上記設定値を変えることを防止できる。尚、変更手段は、設定値を変更することが可能であれば、どのような構成のものであってもよい。例えば、数字キーから数字を入力することにより設定値を決定するものや、プラス（＋）キー・マイナス（−）キーを押下することにより設定値を増減させて、所望の値に決定するものであってもよい。
【００１８】
また、本発明の遊技機は、設定値を表示する表示手段を備えるようにしてもよい。
このように構成された遊技機では、設定値通りに貯留遊技球が球皿から抜き取られたか否かを、遊技者が確認することができる。尚、表示手段は、設定値を表示することが可能であれば、どのような構成のものであってもよい。例えば、７セグや液晶等で構成された表示装置で設定値を表示するようにしてもよいし、設定値が印刷されたシールを遊技機に貼るようにしてもよい。
【００１９】
また、上記の遊技球検出手段を備える場合には、遊技店側で上記設定位置を示す印刷媒体（シールなど）を遊技機に貼り付けることによって、遊技者が上記設定位置を確認できるようにしてもよい。しかし、設定位置を変更すると、この変更に応じて、設定位置を示す印刷媒体を貼り直す必要がある。
【００２０】
そこで、予め設定された第２外部操作に基づいて、設定位置を変更する設定位置変更手段と、当該遊技機の内部に配置され、第２外部操作により操作される第２被操作部と、設定位置を示す画像が印刷された設定位置表示手段と、を備え、第２被操作部と、設定位置表示手段とは、一体に移動可能となるように連結されるようにするとよい。
【００２１】
このように構成された遊技機では、設定位置変更手段は、第２外部操作により第２被操作部が操作されると、第２外部操作に基づいて設定位置を変更する。さらに、設定位置表示手段が第２被操作部に連結して移動することにより、設定位置を示す画像が移動する。つまり、設定位置表示手段が示すべき設定位置を変更する作業が不要となる。
【００２２】
ところで、開閉手段は、球抜き口を開閉することが可能であれば、どのような構成のものであってもよい。例えば、開閉手段は、球抜き口を開放する開放位置と、球抜き口を閉鎖する閉鎖位置との間を移動する開閉部材と、駆動源としてモータとを備え、開放手段，閉鎖手段は、このモータを正回転或いは逆回転させることにより開閉部材に球抜き口を開放・閉鎖させるようにしてもよい。しかし、開閉部材の移動を開始する時にモータの回転を開始させる処理を実行し、その後に、開閉部材が開放・閉鎖位置に到達した時にモータの回転を停止させる処理を実行する必要がある。
【００２３】
そこで、本発明の遊技機では、開閉手段は、球抜き口を開放する開放位置と、球抜き口を閉鎖する閉鎖位置との間を移動するとともに、閉鎖位置に移動する方向に付勢される開閉部材と、開放手段が球抜き口を開放すると、開閉部材を開放位置に保持する保持手段とを備え、開放手段は、開閉部材を開放位置に移動させることにより、球抜き口を開放し、第１閉鎖手段は、保持手段に開放状態の保持を解除させることにより、開閉部材を閉鎖位置に移動させるようにしてもよい。
【００２４】
このように構成された遊技機では、開放手段が開閉部材を開放位置に移動させることにより球抜き口を開放すると、保持手段は開閉部材を開放位置に保持する。その後、第１閉鎖手段が保持手段に開放状態の保持を解除させると、開閉部材が閉鎖位置に移動し、球抜き口を閉鎖する。
【００２５】
このため、保持手段に開放状態の保持を解除させるという処理のみで、開閉部材を閉鎖位置に移動させることができる。
さらに、本発明の遊技機では、第１外部操作によって、開閉手段に球抜き口を開放させるための開放指令を入力するための指令入力手段を備え、開放手段は、指令入力手段から開放指令が入力されると、開閉部材を開放位置に移動させるようにしてもよい。
【００２６】
このように構成された遊技機では、遊技者は、指令入力手段に対して開放指令を入力するための第１外部操作をすることによって、容易に球抜き口を開放することができる。
尚、本発明の遊技機では、第１外部操作を行うと開放手段が開閉部材を開放位置に移動させることで球抜きが開始され、その後、第１外部操作が行われていない状態においても、保持手段が開閉部材を開放位置に保持するようにしてもよい。このように構成された遊技機によれば、球抜き口の開放を開始する時点の外部操作のみによって、貯留球を設定値の量まで抜き取ることができる。
【００２７】
しかし、上記の第１外部操作によって球抜き口を開放する遊技機では、遊技者が誤って第１外部操作を行ってしまうと、貯留球が設定値の量になるまで貯留球の抜き取りが終了しなくなる。このため、第１外部操作が解除されると開閉部材を閉鎖位置に移動させる第２閉鎖手段を備えるようにしてもよい。
【００２８】
このように構成された遊技機によれば、貯留遊技球の量が設定値になるまでは、第１外部操作を継続して行うことによって、開放手段が球抜き口を開放する。そして、第１外部操作を行っている間に貯留遊技球の量が設定値になると、第１閉鎖手段が球抜き口を閉鎖する。
【００２９】
このため、遊技者が誤って第１外部操作を行ってしまった場合でも、第１外部操作が解除された時点で球抜きが停止するので、遊技者の誤操作によって、貯留遊技球の量が設定値になるまで抜き取られることを防止できる。
【００３０】
また、本発明の遊技機では、開放手段は、開閉部材と一体に移動可能となるように連結され、第１外部操作により操作される第１被操作部から構成されるようにしてもよい。
このように構成された遊技機では、遊技者が手動により第１被操作部を移動させると開閉部材が移動するので、開閉部材を移動させるための電力が不要となる。
【発明を実施するための最良の形態】
【００３１】
（実施の形態１）
以下に本発明の実施の形態１について、図面を参照しながら説明する。
まず、本発明が適用された遊技機１の構成を図１に基づいて説明する。図１は、遊技機１の正面図である。
【００３２】
遊技機１は、図１に示すように、当該遊技機１の筐体である外枠３と、開閉自在に外枠３に取り付けられた内枠５とを備えている。
そして、内枠５には、遊技者に遊技を提供する遊技盤７と、遊技盤７を覆うように取り付けられ、内枠５に対して開閉可能なガラス扉８と、遊技盤７上に遊技球を発射するためのハンドル９と、遊技盤７における遊技の結果として当該遊技機１から賞品として払い出される遊技球（賞品球）を貯留する上受け皿１１と、正面に上受け皿１１が設置され、内枠５に対して開閉可能な上皿基板１２と、上受け皿１１から排出される遊技球を受ける下受け皿１３とが設けられている。
【００３３】
ここで、遊技盤７には、ＣＲＴ（Cathode-Ray Tube）やＬＣＤ（Liquid  Crystal Display）からなり、数字や模様を要素とした３つの特別図柄などの画像を表示するディスプレイ１５と、特別図柄の変動表示が保留されていることを遊技者に示す４つの特別図柄保留ランプ１７と、特別図柄の変動表示を開始させるために、遊技者が遊技球を投入する始動入賞装置１９と、大当たり遊技時に開放され、大量の賞品球を獲得可能な可動入賞装置２１とが設けられている。尚、４つの特別図柄保留ランプ１７は、特別図柄の変動表示の保留数（本実施形態では、最大４つまで）と同じ数だけ点灯される。また、始動入賞装置１９は、所謂、チューリップ式からなり、図中左右方向に開閉動作する１対の可動片１９１を備えている。そして、可動入賞装置２１は、図中手前方向に傾倒動作して当該可動入賞装置２１の入賞口を開放する開閉板２１１を備えている。
【００３４】
また、遊技盤７には、７セグメントＬＥＤを備えた数字表示器からなり、１桁の数字からなる普通図柄（本実施形態では、０〜９の数字）を変動表示する普通図柄表示部２３と、普通図柄の変動表示が保留されていることを遊技者に示す４つの普通図柄保留ランプ２５と、遊技球の通過を検出する１対の始動ゲート２７とが設けられている。尚、４つの普通図柄保留ランプ２５は、特別図柄保留ランプ１７と同じように、普通図柄の変動表示の保留数（本実施形態では、最大４つまで）と同じ数だけ点灯される。また、普通図柄表示部２３は、遊技球が始動ゲート２７を通過すると、普通図柄（本実施形態では、０〜９の数字）の変動表示を開始する。ここで、遊技機１は、上述した始動入賞装置１９の可動片１９１を通常閉じている。そして、普通図柄表示部２３に表示される普通図柄が予め指定された普通図柄（本実施形態では「７」）で停止表示されたときに可動片１９１を開く一方、始動入賞装置１９に遊技球が投入されたり、予め設定された時間が経過すると再び閉じるようにされている。
【００３５】
ところで、遊技機１は、遊技によって同一の特別図柄が揃い、大当たりが発生すると、入賞期間（所謂ラウンド）と非入賞期間（所謂インターバル）とが予め設定された回数だけ交互に繰り返されてなる大当たり遊技を実行する。そして、遊技機１は、ラウンドが到来する度に可動入賞装置２１の開閉板２１１を傾動して入賞口を開放する一方、インターバルが到来する度に開閉板２１１を直立させて入賞口を閉鎖する。
【００３６】
また、遊技機１は、大当たり遊技時に可動入賞装置２１へ遊技球が投入されると、所定数（例えば、１３個）の賞品球を遊技者に払い出す一方、通常の遊技時や大当たり遊技時に始動入賞装置１９へ遊技球が投入された場合においても、所定数（例えば、７個）の遊技球を遊技者に払い出すようにされている。
【００３７】
また、上受け皿１１の底部の左側には、煙を吸入するための煙吸入口３１ａが設けられ、上受け皿１１の底部の右側には、清浄な空気を送出するための送風口３１ｂが設けられている。そして、煙吸入口３１ａは、遊技機１の外部に設置された煙吸入装置（不図示）に接続され、煙吸入口３１ａを介して煙が吸入される。また、送風口３１ｂは、遊技機１の外部に設置された送風装置（不図示）に接続され、送風口３１ｂを介して清浄な空気が送出される。
【００３８】
次に、上受け皿１１の構成を図２〜図４に基づいて説明する。図２及び図３は、上皿基板１２に取り付けられた状態の上受け皿１１を示す図である。尚、図２は、後述する球検知センサ１７１が上受け皿１１において移動可能な最も下流に位置した状態を示し、図３は、球検知センサ１７１が上受け皿１１において移動可能な最も上流に位置した状態を示している。そして、図２（ａ），図３（ａ）は上受け皿１１の正面図、図２（ｂ），図３（ｂ）は上受け皿１１の平面図、図２（ｃ），図３（ｃ）は上受け皿１１の背面図である。また、図４は上受け皿１１の背面図である。そして、図４（ａ）は後述の球抜き口１２１が閉鎖された状態、図４（ｂ）は球抜き口１２１が開放された状態を示している。
【００３９】
上皿基板１２には、遊技機１が遊技者に払い出す賞品球を上受け皿１１に排出するための賞品球排出口２０１ａ（図２（ｃ），図３（ｃ）参照）を形成する賞品球排出筒２０１が取り付けられている（図２（ｂ），図３（ｂ）参照）。
【００４０】
また、上受け皿１１は、遊技球を貯留する球貯留部１００と、後述の球抜き口１２１を開閉する開閉部１２０（図４参照）と、球抜きについての指令を入力するための操作部１５０と、残し球量を表示する表示部１６０と、上受け皿１１に貯留された遊技球（以降、上皿貯留球とも称す）を検出する球検出部１７０とから構成されている。
【００４１】
このうち、球貯留部１００は、賞品球排出口２０１ａを通って排出された遊技球を受け入れて貯留する球受入領域１０１と、球受入領域１０１に貯留された遊技球を１列に整列させて球抜き口１２１へ導く整列路１０３とから構成されている。また、球受入領域１０１及び整列路１０３の底面を構成する底板１０５は、賞品球排出口２０１ａから球抜き口１２１に向けて下方に傾斜している（図２（ｃ），図３（ｃ）参照）。尚、球受入領域１０１から整列路１０３に向かうにつれて遊技球が通る幅が徐々に狭くなり、整列路１０３においては遊技球１個のみ通ることが可能な幅となる。
【００４２】
このように構成された球貯留部１００では、賞品球排出口２０１ａから排出された遊技球は、球受入領域１０１から整列路１０３に向かって転がり、整列路１０３において１列に整列させられる。こうして、球抜き口１２１に遊技球が１個ずつ供給される。
【００４３】
次に、開閉部１２０は、図４に示すように、上受け皿１１に貯留された遊技球を抜き取る球抜き口１２１と、球抜き口１２１を開放する開放位置と球抜き口１２１を閉鎖する閉鎖位置との間を移動する開閉板１２３と、開閉板１２３を開閉する駆動源としての球抜きソレノイド１２５と、開閉板１２３と一体に移動可能に連結されたガイド部材１２７と、開閉板１２３を開放位置と閉鎖位置との間で移動可能に、ガイド部材１２７をガイドするガイド溝１２９と、球抜きソレノイド１２５とガイド部材１２７とを連結する連結部材１３１と、開閉板１２３が閉鎖位置に移動する方向（図４における右方向）に連結部材１３１を付勢する付勢バネ１３３とから構成される。
【００４４】
尚、ガイド溝１２９は、長手方向が図４における左右方向となる矩形状の溝である。そして、この矩形状のガイド溝１２９における左端（図４における左端）にガイド部材１２７が当接すると開閉板１２３は開放位置に移動し、右端（図４における右端）にガイド部材１２７が当接すると開閉板１２３は閉鎖位置に移動する。
【００４５】
また、球抜きソレノイド１２５は、球抜きソレノイド１２５が通電状態になると球抜きソレノイド１２５内部に吸引される棒状のプランジャー１２５ａを備えており、このプランジャー１２５ａが連結部材１３１と連結される。また、連結部材１３１は、球抜きソレノイド１２５が非通電状態になるとガイド部材１２７を図４における右方向に移動させ、球抜きソレノイド１２５が通電状態になるとガイド部材１２７を図４における左方向に移動させるように、球抜きソレノイド１２５とガイド部材１２７とを連結する。
【００４６】
このように構成された開閉部１２０では、球抜きソレノイド１２５が非通電状態（以降、オフ状態と称す）の時には、開閉板１２３が閉鎖位置に移動するために、球抜き口１２１が閉鎖される（図４（ａ）参照）。一方、球抜きソレノイド１２５が通電状態（以降、オン状態と称す）の時には、開閉板１２３が開放位置に移動するために、球抜き口１２１が開放される（図４（ｂ）参照）。
【００４７】
次に、操作部１５０は、上受け皿１１に所定量の遊技球を残して、それ以外の遊技球を抜き取る時に操作される残し球ボタン１５１と、上受け皿１１から任意の量の遊技球を抜き取る時に操作される球抜きボタン１５３とから構成される（図２（ａ），（ｂ）及び図３（ａ），（ｂ）参照）。
【００４８】
次に、表示部１６０は、残し球量を示すプレート１６１と、プレート１６１の前面に配置される透明板１６３と（図２（ａ），（ｃ）及び図３（ａ），（ｃ）参照）、プレート１６１を左右方向（図２，図３における左右方向）に移動可能にガイドするガイド溝１６５（図２（ｃ），図３（ｃ）参照）とから構成される。尚、プレート１６１の表面には、「↓残し玉ここまで」と記載されており、「↓」が示す位置まで遊技球を残してもよいことを表している。また、プレート１６１の裏面上には、後述する連結棒１７７の上端が固定されている。
【００４９】
次に、球検出部１７０は、底板１０５の下方に配置されて底板１０５上の遊技球の有無を検出する球検知センサ１７１と、球検知センサ１７１を底板１０５に沿って左右方向（図２，図３における左右方向）に移動可能にガイドするガイド穴１７３と、球検知センサ１７１が連結され、球検知センサ１７１を左右方向に移動させるための操作つまみ１７５ａを備えた操作部材１７５と、操作部材１７５とプレート１６１とを連結するための連結棒１７７とから構成されている（図２（ｃ），図３（ｃ）参照）。尚、球検知センサ１７１は周知の近接センサから構成されている。即ち、球検知センサ１７１は、金属で構成された遊技球が当該センサの近傍に存在するか否かを検出する。そして、球検知センサ１７１は、遊技球が存在すると検出すると、その旨を示す球検知信号を出力する。
【００５０】
また、操作部材１７５には、連結棒１７７と連結するための挿入穴１７５ｂが設けられており、連結棒１７７の下端が挿入穴１７５ｂに上下動可能に挿入されている。
このように構成された球検出部１７０では、操作者が操作つまみ１７５ａを操作することによって、操作部材１７５の移動に連動して、球検知センサ１７１とプレート１６１とが移動する。即ち、球検知センサ１７１は、プレート１６１に記載された「↓」が指し示す方向に常に位置する。尚、球検知センサ１７１は、ガイド溝１６５のプレート左端位置Ｐ１とプレート右端位置Ｐ２とによって規制されることにより、センサ左端位置Ｐ３とセンサ右端位置Ｐ４との間で左右に移動可能となる（図２（ｃ），図３（ｃ）参照）。
【００５１】
次に、可動入賞装置２１の構成を図５及び図６に基づいて説明する。図５は、遊技盤７の下部分の裏面を示す斜視図であり、図５（ａ）は後述のカバー部材３５を取り付ける前の状態、図５（ｂ）はカバー部材３５を取り付けた後の状態を示す。また、図６は、可動入賞装置２１の断面図であり、可動入賞装置２１内に入賞した遊技球が可動入賞装置２１から排出されるまでの経路を示す。
【００５２】
可動入賞装置２１は遊技盤７の裏面に突設されており（図５（ａ）参照）、カバー部材３５が、この可動入賞装置２１を覆うように遊技盤７の裏面にネジ３５ａにより固定されている（図５（ｂ）参照）。
【００５３】
また、図６に示すように、開閉板２１１により開放された入賞口２１２から可動入賞装置２１内に入った遊技球は、入賞口２１２から入った遊技球が通過する入賞経路２１３と、当該スイッチの内部を通過した遊技球を検出する球検知スイッチ２１４とを通過して、排出口２１５から排出される。そして、排出口２１５には、遊技球等が排出口２１５側から可動入賞装置２１内に不正に入ることを防止するための不正入賞防止部２１６が取り付けられている。
【００５４】
不正入賞防止部２１６は、排出口２１５を構成する側壁２１５ａに一端が軸支され、排出口２１５を開閉する排出口開閉板２１６ａと、側壁２１５ａの内側に突設され、排出口開閉板２１６ａの動作範囲を規制するストッパ部材２１６ｂと、排出口開閉板２１６ａがストッパ部材２１６ｂに当接する方向、即ち排出口２１５を閉鎖する方向に排出口開閉板２１６ａを付勢する付勢バネ２１６ｃとから構成されている。尚、付勢バネ２１６ｃの付勢力は、排出口開閉板２１６ａに対して遊技球１個にかかる重力に相当する力を下方向（図６における下方向）に加えると、排出口開閉板２１６ａが排出口２１５を開放する方向に回転する程度の大きさである。
【００５５】
このように構成された不正入賞防止部２１６では、付勢バネ２１６ｃに付勢される排出口開閉板２１６ａがストッパ部材２１６ｂに当接することにより、排出口開閉板２１６ａは排出口２１５を閉鎖する位置に保持される。そして、入賞口２１２から入った遊技球が排出口２１５を通過する時には、この遊技球が排出口開閉板２１６ａを上方から押動するために、排出口開閉板２１６ａが、軸支された一端を中心にして反時計回り（図６における反時計回り）に回転することにより、排出口２１５を開放する。これにより、可動入賞装置２１内の遊技球が排出される。
【００５６】
一方、排出口２１５側から可動入賞装置２１内に遊技球を入れようとしても、遊技球が排出口開閉板２１６ａを下方から押動し、排出口開閉板２１６ａを時計回り（図６における時計回り）に回転させる必要がある。しかし、ストッパ部材２１６ｂは、排出口開閉板２１６ａが排出口２１５内に入り込むことを阻止するので、排出口２１５は開放されない。
【００５７】
次に、遊技機１の電気的構成を図７に基づいて説明する。図７は遊技機１の電気的構成を表すブロック図である。
遊技機１は、図７に示すように、上述した球抜きソレノイド１２５，球検知センサ１７１に加えて、残し球ボタン１５１および球抜きボタン１５３からなるユーザインターフェース部（以降、ユーザＩ／Ｆと称す）３２０と、遊技機１全体の動作を制御する制御部３００とを備えている。尚、ユーザＩ／Ｆ３２０は、残し球ボタン１５１が押下されると、残し球ボタン１５１が押下されたことを示す残し球ボタン・オン信号を出力し、残し球ボタン１５１の押下が解除されると、残し球ボタン・オン信号の出力を中止する。また、ユーザＩ／Ｆ３２０は、球抜きボタン１５３が押下されると、球抜きボタン１５３が押下されたことを示す球抜きボタン・オン信号を出力し、球抜きボタン１５３の押下が解除されると、球抜きボタン・オン信号の出力を中止する。
【００５８】
そして、制御部３００は、所定の処理プログラムに基づいて処理を実行するＣＰＵ３０１と、種々の制御プログラムが格納されたＲＯＭ３０３と、種々のデータを格納する各種メモリが設けられたＲＡＭ３０５と、球抜きソレノイド１２５に駆動信号を伝えるソレノイド駆動回路３０９と、球検知センサ１７１，ソレノイド駆動回路３０９，ユーザＩ／Ｆ３２０が接続され、ＣＰＵ３０１，ＲＡＭ３０５との間で信号及びデータの入出力を行う入出力部３０７とを備えている。尚、ＲＡＭ３０５には、所定時間毎（例えば１０ｍｓ毎）に自動的にインクリメントされる球抜き判定タイマが設けられている。この球抜き判定タイマは、ある時点でその値が０に設定されると、その時点で再び０からインクリメントされるタイマである。
【００５９】
次に、図８（ａ）を用いて、残し球ボタン１５１の操作により球抜きを行なうための残し球ボタン用球抜き処理を説明する。
図８（ａ）は、残し球ボタン用球抜き処理を表すフローチャートである。この残し球ボタン用球抜き処理は、ＣＰＵ３０１が起動（電源オン）している間に、ＣＰＵ３０１により繰り返し実行される処理である。
【００６０】
この残し球ボタン用球抜き処理においては、ＣＰＵ３０１は、まずＳ１０にて、残し球ボタン・オン信号が入出力部３０７に入力したか否かを判断する。つまり、残し球ボタン１５１が押下されたか否かを判断する。ここで、残し球ボタン・オン信号が入力したと判断すると（Ｓ１０：ＹＥＳ）、Ｓ２０にて、球検知信号が入出力部３０７に入力したか否かを判断する。ここで、球検知信号が入力したと判断すると（Ｓ２０：ＹＥＳ）、Ｓ３０にて、球抜きソレノイド１２５をオン状態にし、当該残し球ボタン用球抜き処理を終了する。
【００６１】
一方、球検知信号が入力していないと判断すると（Ｓ２０：ＮＯ）、Ｓ４０にて、球抜きソレノイド１２５をオフ状態にし、当該残し球ボタン用球抜き処理を終了する。
また、Ｓ１０に戻り、残し球ボタン・オン信号が入力していないと判断すると（Ｓ１０：ＮＯ）、Ｓ４０にて、球抜きソレノイド１２５をオフ状態にし、当該残し球ボタン用球抜き処理を終了する。
【００６２】
次に、図８（ｂ）を用いて、球抜きボタン１５３の操作により球抜きを行なうための球抜きボタン用球抜き処理を説明する。
図８（ｂ）は、球抜きボタン用球抜き処理を表すフローチャートである。この球抜きボタン用球抜き処理は、ＣＰＵ３０１が起動（電源オン）している間に、ＣＰＵ３０１により繰り返し実行される処理である。
【００６３】
この球抜きボタン用球抜き処理においては、ＣＰＵ３０１は、まずＳ１１０にて、球抜きボタン・オン信号が入出力部３０７に入力したか否かを判断する。つまり、球抜きボタン１５３が押下されたか否かを判断する。ここで、球抜きボタン・オン信号が入力したと判断すると（Ｓ１１０：ＹＥＳ）、Ｓ１２０にて、球検知信号が入出力部３０７に入力したか否かを判断する。ここで、球検知信号が入力したと判断すると（Ｓ１２０：ＹＥＳ）、Ｓ１３０にて、上述した球抜き判定タイマの値を０に設定して、さらにＳ１４０にて、球抜きソレノイド１２５をオン状態にし、当該球抜きボタン用球抜き処理を終了する。
【００６４】
一方、Ｓ１２０にて、球検知信号が入力していないと判断すると（Ｓ１２０：ＮＯ）、Ｓ１５０にて、球抜き判定タイマが所定の設定時間（例えば、１０秒）経過しているか否か判断する。尚、この設定時間は、上受け皿１１において、上述したセンサ右端位置Ｐ４より下流に貯留されている全ての遊技球を上受け皿１１から抜き取るために要する時間（本実施形態では約５秒）より十分長い時間に設定されている。ここで、球抜き判定タイマが設定時間経過していないと判断すると（Ｓ１５０：ＮＯ）、Ｓ１４０にて、球抜きソレノイド１２５をオン状態にし、当該球抜きボタン用球抜き処理を終了する。
【００６５】
一方、Ｓ１５０にて、球抜き判定タイマが設定時間経過したと判断すると（Ｓ１５０：ＹＥＳ）、Ｓ１６０にて、球抜きソレノイド１２５をオフ状態にし、当該球抜きボタン用球抜き処理を終了する。
【００６６】
また、Ｓ１１０に戻り、球抜きボタン・オン信号が入力していないと判断すると（Ｓ１１０：ＮＯ）、Ｓ１６０にて、球抜きソレノイド１２５をオフ状態にし、当該球抜きボタン用球抜き処理を終了する。
【００６７】
このように構成された本実施形態の遊技機１では、遊技者が残し球ボタン１５１を押下すると、開閉板１２３が開放位置に移動して球抜き口１２１が開放される。これによって、上皿貯留球が球抜き口１２１から抜き取られる。尚、遊技者は、上皿貯留球を抜き取る際、連続して残し球ボタン１５１を押下する必要がある。つまり、遊技者が残し球ボタン１５１の押下を中止すると、開閉板１２３が閉鎖位置に移動して球抜き口１２１が閉鎖される。
【００６８】
そして、上皿貯留球が抜き取られている間に、「↓残し玉ここまで」と記載されているプレート１６１における「↓」が示す位置まで上皿貯留球が抜き取られると、遊技者が残し球ボタン１５１を押下している状態であっても、開閉板１２３が閉鎖位置に移動して球抜き口１２１が閉鎖される。これによって、上皿貯留球の抜き取りが停止する。
【００６９】
即ち、上皿貯留球の量が予め設定されている設定値に一致するまで上皿貯留球が抜き取られると、上皿貯留球の抜き取りが停止する。このため、本実施形態の遊技機１では、遊技者が上皿貯留球を設定値の量まで抜き取る際に、上皿貯留球の量が設定値に一致するように上皿貯留球を監視するという負担を遊技者に強いることなく、容易に上皿貯留球を上受け皿１１から抜き取ることができる。
【００７０】
また、上受け皿１１の背面に配置された操作つまみ１７５ａを遊技店の従業員が操作して操作部材１７５を左右方向に移動させると、この操作部材１７５の移動に応じて、球検知センサ１７１の位置はセンサ左端位置Ｐ３とセンサ右端位置Ｐ４との間で左右に変化する。さらに、プレート１６１の位置も、この操作部材１７５の移動に応じて左右に変化する。
【００７１】
このため、上受け皿１１に残すことができる上皿貯留球の量を、遊技店側の裁量で自由に変えることができる。さらに、操作つまみ１７５ａは遊技機１の内部に配置されているので、遊技者は操作つまみ１７５ａを操作することができない。このため、遊技者が勝手に設定値を変えることを防止できる。
【００７２】
また、「↓残し玉ここまで」と記載されているプレート１６１によって、遊技者は、設定値通りに上皿貯留球が上受け皿１１から抜き取られたか否かを確認することができる。
また、操作者が操作つまみ１７５ａを操作することによって、操作部材１７５の移動に連動して、球検知センサ１７１とプレート１６１とが移動する。即ち、球検知センサ１７１は、プレート１６１に記載された「↓」が指し示す方向に常に位置する。このため、球検知センサ１７１の移動に応じて、プレート１６１の位置を変更する作業が不要となる。
【００７３】
また、本実施形態の遊技機１では、開閉板１２３を開放位置に移動させることにより球抜き口１２１を開放すると、図８のＳ１０〜Ｓ３０の処理により球抜きソレノイド１２５をオン状態にして、開閉板１２３を開放位置に保持する。その後、プレート１６１における「↓」が示す位置まで上皿貯留球が抜き取られると、図８のＳ１０，Ｓ２０及びＳ４０の処理により球抜きソレノイド１２５をオフ状態にして、開閉板１２３が閉鎖位置に移動し、球抜き口１２１を閉鎖する。
【００７４】
このため、球抜きソレノイド１２５をオフ状態にするという処理のみで、開閉板１２３を閉鎖位置に移動させることができる。
また、残し球ボタン１５１を押下するという操作により開閉板１２３を開放位置に移動させるので、容易な操作で球抜き口１２１を開放することができる。
【００７５】
また、上皿貯留球を抜き取る際、遊技者は連続して残し球ボタン１５１を押下する必要があるので、遊技者の誤操作によって上皿貯留球の量が設定値になるまで抜き取られることを防止できる。
【００７６】
また、本実施形態の遊技機１では、球検知センサ１７１が遊技球を検出するか否かにより、上皿貯留球量が設定値以下であるか否かを判別する。つまり、上皿貯留球の量を検出する場合とは異なり、球皿内の全ての上皿貯留球を検出する必要がないので、上皿貯留球の量が設定値以下であるか否かを、簡便に判別できる。
【００７７】
また、本実施形態の遊技機１では、遊技者が球抜きボタン１５３を押下すると、開閉板１２３が開放位置に移動して球抜き口１２１が開放される。これによって、上皿貯留球が球抜き口１２１から抜き取られる。そして、遊技者が球抜きボタン１５３の押下を中止すると、開閉板１２３が閉鎖位置に移動して球抜き口１２１が閉鎖される。但し、遊技者が球抜きボタン１５３を押下している状態であっても、上受け皿１１に貯留されている遊技球が全て抜き取られてから５〜１０秒程度経過すると、開閉板１２３が閉鎖位置に移動して球抜き口１２１が閉鎖される。
【００７８】
このため、遊技者は、球抜きボタン１５３を押下することによって、所望の量の上皿貯留球量を抜き取ることができる。また、上受け皿１１に貯留されている遊技球が全て抜き取られてから５〜１０秒程度経過すると球抜き口１２１が閉鎖されるので、上受け皿１１に遊技球が無いにも関わらず、球抜きソレノイド１２５のオン状態が無駄に継続されることを防止する。
【００７９】
また、本実施形態の遊技機１では、カバー部材３５が、遊技盤７の裏面に突設された可動入賞装置２１を覆うように、遊技盤７の裏面に固定されている。
このため、可動入賞装置２１における開閉板２１１の開閉動作の不具合の発生を抑制することができる。
【００８０】
即ち、遊技盤７の交換作業において、遊技盤７には、作業者が手で支える箇所がないために、作業者は、可動入賞装置２１の裏面に突設された部分の下部に手を添えて、遊技盤７を遊技機１に嵌め合わせることがある。そして、作業者が、可動入賞装置２１の下部に手を添えて遊技盤７を持ち上げると、可動入賞装置２１と遊技盤７との接合部分に荷重が掛かり、可動入賞装置２１の内部のリンク機構（不図示）がずれてしまう。このずれに起因して、開閉板２１１が開かなくなったり、開いた後に閉じなくなるなどの不具合が発生する。
【００８１】
しかし、本実施形態の遊技機１では、可動入賞装置２１を覆うように配置されたカバー部材３５により、遊技盤７の交換作業において作業者が可動入賞装置２１の下部に手を添えることができないようにされているため、開閉板２１１における上述の開閉動作の不具合の発生を抑制することができる。
【００８２】
また、本実施形態の遊技機１では、排出口２１５に不正入賞防止部２１６が取り付けられている。このため、排出口２１５側から遊技球を入れることにより、球検知スイッチ２１４に遊技球を検知させて、入賞させるという不正を防止することができる。
【００８３】
また、本実施形態の遊技機１では、上受け皿１１の底部の左側に煙を吸入するための煙吸入口３１ａが設けられ、煙吸入口３１ａを介して煙が吸入される。
即ち、ハンドル９は遊技機１の右側に配置されているので、煙草を吸う遊技者は煙草を左手に持つことが多い。また、遊技機１の下受け皿１３の左側には灰皿があり、遊技者はこの灰皿に煙草を置く。つまり、煙吸入口３１ａが上受け皿１１の左側に配置されることにより、遊技者が吸う煙草の煙を効率よく吸入することができる。このため、煙草を吸う遊技者の隣の遊技機で遊技する遊技者が煙草の煙を浴びるという、隣の遊技者にとって不快な状態を抑制することができる。
【００８４】
さらに、上受け皿１１の底部の右側には、清浄な空気を送出するための送風口３１ｂが設けられ、清浄な空気が送出される。このため、送出される清浄な空気によって、遊技機１の右隣の遊技機で遊技する遊技者が持っている煙草の煙が当該遊技機１の遊技者に到達することを抑制することができる。つまり、煙草を吸う遊技者の隣の遊技機で遊技する遊技者が煙草の煙を浴びるという、隣の遊技者にとって不快な状態を更に抑制することができる。
【００８５】
以上説明した実施形態において、上受け皿１１は本発明における球皿、球抜きソレノイド１２５と図８のＳ１０〜Ｓ３０の処理は本発明における開放手段、球抜きソレノイド１２５と図８のＳ１０，Ｓ２０及びＳ４０の処理は本発明における第１閉鎖手段、球抜きソレノイド１２５と図８のＳ１０及びＳ４０の処理は本発明における第２閉鎖手段、表示部１６０は本発明における表示手段，設定位置表示手段、球検知センサ１７１は本発明における遊技球検出手段、操作部材１７５は本発明における変更手段，設定位置変更手段である。
【００８６】
また、開閉板１２３は本発明における開閉部材、球抜きソレノイド１２５は本発明における保持部材、開閉板１２３及び球抜きソレノイド１２５は本発明における開閉手段、ユーザＩ／Ｆ３２０は本発明における指令入力手段、残し球ボタン１５１を押下する操作は本発明における第１外部操作、操作部材１７５を左右に移動させる操作は本発明における第２外部操作、操作つまみ１７５ａは本発明における第２被操作部である。
【００８７】
（実施の形態２）
以下に本発明の実施の形態２について、図面を参照しながら説明する。
実施の形態２における遊技機１が実施の形態１の遊技機１と異なる点は、開閉部１２０の構成である。このため、実施の形態２における開閉部１２０の構成を図９に基づいて説明する。図９は実施の形態２における上受け皿１１の背面図であり、図９（ａ）は球抜き口１２１が開放された状態、図９（ｂ）は球抜き口１２１が閉鎖された状態を示している。
【００８８】
ここでは、本実施形態（実施形態２）の開閉部１２０が実施形態１の開閉部１２０と同様の箇所については、同一の符号を付して説明を省略し、異なる箇所のみについて詳述する。
【００８９】
開閉部１２０は、図９に示すように、球抜き口１２１と、開閉板１２３と、ガイド部材１２７と、ガイド溝１２９と、ガイド部材１２７に連結された操作レバー１４１と、図９における右方向にガイド部材１２７を付勢する付勢バネ１４２と、開閉板１２３を開放位置で保持する球抜きソレノイド１４３とから構成されている。
【００９０】
尚、操作レバー１４１は、ガイド部材１２７の図９における裏面側に突設されている。そして、この操作レバー１４１は、ガイド溝１２９の溝を通って、上受け皿１１の正面側に突出する。つまり、遊技者は、遊技機１の正面側から操作レバー１４１を操作することができる。
【００９１】
また、球抜きソレノイド１４３には、球抜きソレノイド１４３から離れる方向に付勢され、球抜きソレノイド１４３がオン状態になると球抜きソレノイド１４３内部に吸引される棒状のプランジャー１４３ａが備えられている。さらに、球抜きソレノイド１４３のオフ状態の時にプランジャー１４３ａが開閉板１２３の移動経路上に位置し、オン状態の時にプランジャー１４３ａが開閉板１２３の移動経路から待避するように、球抜きソレノイド１４３は配置される。
【００９２】
また、ＣＰＵ３０１は、球検知信号が入出力部３０７に入力していない時に、球抜きソレノイド１４３をオン状態にし、プランジャー１４３ａを吸引する。
このように構成された遊技機１では、遊技者が操作レバー１４１を操作して、付勢バネ１４２の付勢力に抗して開閉板１２３を開放位置に移動させると、プランジャー１４３ａが開閉板１２３の移動経路上に位置することにより、開閉板１２３が開放位置で保持される（図９（ａ）参照）。これにより、上皿貯留球が抜き取られる。そして、プレート１６１における「↓」が示す位置まで遊技球が抜き取られると、球抜きソレノイド１４３がオン状態になり、開閉板１２３の移動経路上からプランジャー１４３ａが待避する。このため、付勢バネ１４２の付勢力によって開閉板１２３が閉鎖位置に移動する（図９（ｂ）参照）。これにより、上皿貯留球の抜き取りが停止する。
【００９３】
このため、遊技者が手動により操作レバー１４１を移動させると開閉板１２３が移動するので、開閉板１２３を移動させるための電力が不要となる。尚、操作レバー１４１は本発明における第１被操作部である。
【００９４】
（実施の形態３）
以下に本発明の実施の形態３について、図面を参照しながら説明する。
実施の形態３における遊技機１が実施の形態１の遊技機１と異なる点は、残し球ボタン用球抜き処理である。このため、実施の形態３における残し球ボタン用球抜き処理を図１０に基づいて説明する。図１０は実施形態３における残し球ボタン用球抜き処理手順を示すフローチャートである。
【００９５】
この残し球ボタン用球抜き処理においては、ＣＰＵ３０１は、まずＳ３１０にて、球抜きソレノイド１２５がオン状態であるか否かを判断する。ここで、球抜きソレノイド１２５がオン状態でないと判断すると（Ｓ３１０：ＮＯ）、Ｓ３２０にて、残し球ボタン・オン信号が入出力部３０７に入力したか否かを判断する。つまり、残し球ボタン１５１が押下されたか否かを判断する。ここで、残し球ボタン・オン信号が入力したと判断すると（Ｓ３２０：ＹＥＳ）、Ｓ３３０にて、球検知信号が入出力部３０７に入力したか否かを判断する。ここで、球検知信号が入力したと判断すると（Ｓ３３０：ＹＥＳ）、Ｓ３４０にて、球抜きソレノイド１２５をオン状態にし、当該残し球ボタン用球抜き処理を終了する。
【００９６】
一方、Ｓ３３０にて、球検知信号が入力していないと判断すると（Ｓ３３０：ＮＯ）、当該残し球ボタン用球抜き処理を終了する。また、Ｓ３２０にて、残し球ボタン・オン信号が入力していないと判断すると（Ｓ３２０：ＮＯ）、当該残し球ボタン用球抜き処理を終了する。
【００９７】
また、Ｓ３１０に戻り、球抜きソレノイド１２５がオン状態であると判断すると（Ｓ３１０：ＹＥＳ）、Ｓ３５０にて、球検知信号が入出力部３０７に入力したか否かを判断する。ここで、球検知信号が入力したと判断すると（Ｓ３５０：ＹＥＳ）、当該残し球ボタン用球抜き処理を終了する。一方、球検知信号が入力していないと判断すると（Ｓ３５０：ＮＯ）、Ｓ３６０にて、球抜きソレノイド１２５をオフ状態にし、当該残し球ボタン用球抜き処理を終了する。
【００９８】
このように構成された遊技機１では、残し球ボタン１５１を押下する操作を行うと球抜きソレノイド１２５がオン状態になり、開閉板１２３が開放位置に移動して球抜き口１２１が開放される。その後、残し球ボタン１５１が押下されていない状態においても、球抜き口１２１が開放される。そして、プレート１６１における「↓」が示す位置まで上皿貯留球が抜き取られると、開閉板１２３が閉鎖位置に移動して球抜き口１２１が閉鎖される。このため、球抜き口１２１の開放を開始する時点の残し球ボタン１５１の押下操作のみによって、上皿貯留球を設定値の量まで抜き取ることができる。
【００９９】
以上、本発明の一実施例について説明したが、本発明は上記実施例に限定されるものではなく、本発明の技術的範囲に属する限り種々の形態を採ることができる。
例えば、上記実施形態においては、カバー部材３５が、可動入賞装置２１を覆うように遊技盤７の裏面に固定されたものを示した。しかし、作業者が可動入賞装置２１の下部に手を添えて遊技盤７を持ち上げても、可動入賞装置２１の内部のリンク機構がずれないようにするために、図１１に示すように、可動入賞装置２１の下部に、可動入賞装置２１を支持する支持部材３７を取り付けるようにしてもよい。
【図面の簡単な説明】
【０１００】
【図１】遊技機１の正面図。
【図２】上受け皿１１の構成を説明する図。
【図３】上受け皿１１の構成を説明する図。
【図４】上受け皿１１の構成を説明する背面図。
【図５】カバー部材３５を説明するための遊技盤７の斜視図。
【図６】不正入賞防止部２１６を説明するための可動入賞装置２１の断面図。
【図７】遊技機１の電気的構成を示すブロック図。
【図８】残し球ボタン用球抜き処理及び球抜きボタン用球抜き処理手順を示すフローチャート。
【図９】上受け皿１１の構成を説明する背面図。
【図１０】残し球ボタン用球抜き処理手順を示すフローチャート。
【図１１】支持部材３７を説明するための遊技盤７の側面図。
【符号の説明】
【０１０１】
１…遊技機、３…外枠、５…内枠、７…遊技盤、８…ガラス扉、９…ハンドル、１１…上受け皿、１２…上皿基板、１３…下受け皿、１５…ディスプレイ、１７…特別図柄保留ランプ、１９…始動入賞装置、２１…可動入賞装置、２３…普通図柄表示部、２５…普通図柄保留ランプ、２７…始動ゲート、３１ａ…煙吸入口、３１ｂ…送風口、３５…カバー部材、３５ａ…ネジ、３７…支持部材、１００…球貯留部、１０１…球受入領域、１０３…整列路、１０５…底板、１２０…開閉部、１２１…球抜き口、１２３…開閉板、１２５，１４３…球抜きソレノイド、１２５ａ，１４３ａ…プランジャー、１２７…ガイド部材、１２９…ガイド溝、１３１…連結部材、１３３，１４２，２１６ｃ…付勢バネ、１４１…操作レバー、１５０…操作部、１５１…残し球ボタン、１５３…球抜きボタン、１６０…表示部、１６１…プレート、１６３…透明板、１６５…ガイド溝、１７０…球検出部、１７１…球検知センサ、１７３…ガイド穴、１７５…操作部材、１７５ａ…操作つまみ、１７５ｂ…挿入穴、１７７…連結棒、１９１…可動片、２０１…賞品球排出筒、２０１ａ…賞品球排出口、２１１…開閉板、２１２…入賞口、２１３…入賞経路、２１４…球検知スイッチ、２１５…排出口、２１５ａ…側壁、２１６…不正入賞防止部、２１６ａ…排出口開閉板、２１６ｂ…ストッパ部材、３００…制御部、３０１…ＣＰＵ、３０３…ＲＯＭ、３０５…ＲＡＭ、３０７…入出力部、３０９…ソレノイド駆動回路、３２０…ユーザＩ／Ｆ。
【図１】
2005185528.tif 000003
【図２】
2005185528.tif 000004
【図３】
2005185528.tif 000005
【図４】
2005185528.tif 000006
【図５】
2005185528.tif 000007
【図６】
2005185528.tif 000008
【図７】
2005185528.tif 000009
【図８】
2005185528.tif 000010
【図９】
2005185528.tif 000011
【図１０】
2005185528.tif 000012
【図１１】
2005185528.tif 000013